(57)【要約】【課題】電気エネルギーの損耗を防ぎ、エネルギー消費量を低減できる放電装置用超伝導チューブを提供すること。【解決手段】前端面１１と、後端面１２と、前端面１１から後端面１２に向かって延伸される内管壁１３及び外管壁１４とから形成され、内部に中空空間１５が形成された中空の管体であって、超伝導体材料を一体成型して成り、外管壁１４の一端に、放電装置に向かって延伸され、該放電装置の電流を導引する導引部が設けられている。【選択図】図２
0003174665.tif 000002
【実用新案登録請求の範囲】
【請求項１】
前端面と、後端面と、前記前端面から前記後端面に向かって延伸される内管壁及び外管壁とから形成され、内部に中空空間が形成された中空の管体であって、超伝導体材料を一体成型して成り、前記外管壁の一端に、放電装置に向かって延伸され、該放電装置の電流を導引する導引部が設けられたことを特徴とする、放電装置用超伝導チューブ。
【請求項２】
前記中空空間が真空状態であることを特徴とする、請求項１に記載の放電装置用超伝導チューブ。
【請求項３】
前記超伝導体材料がセラミックスであることを特徴とする、請求項１に記載の放電装置用超伝導チューブ。
【請求項４】
前記超伝導体材料がダブルウォールカーボンナノチューブに二ホウ化マグネシウムを加えたものであることを特徴とする、請求項１に記載の放電装置用超伝導チューブ。
【請求項５】
前記超伝導体材料が二ホウ化マグネシウムであることを特徴とする、請求項１に記載の放電装置用超伝導チューブ。
【考案の詳細な説明】
【技術分野】
【０００１】
本考案は、放電装置用超伝導チューブに関する。
【背景技術】
【０００２】
地球の資源は絶え間なく開発されて減少し続けている一方、日常生活においては大量に電気エネルギーを必要としている。
現在、電気エネルギーの伝導においては、大多数が磁性コイルを電気エネルギー伝達の媒介としている。しかし、電気エネルギーは伝達の過程で損耗を生じる。
特に、磁性コイルの多くが銅などの金属材料から成るが、金属材料は抵抗を発生するため、電流が流れるとき、電気エネルギーが熱エネルギーに変換され、往々にして電気エネルギーの伝送過程で損耗が過多となり、大量の電気エネルギーが浪費されてしまう。
【０００３】
従来は、電流が磁性コイルを流れて電気エネルギーに変換されるが、電流が磁性コイルを通るときにエネルギーの損耗が生じ、使用できる電気エネルギーが大幅に減少する。このような方法では放電装置の効果を大幅に低下させるだけでなく、資源の浪費を招いている。
【考案の概要】
【考案が解決しようとする課題】
【０００４】
本考案が解決しようとする課題は、電気エネルギーの損耗を防ぎ、エネルギー消費量を低減できる放電装置用超伝導チューブを提供することにある。
【課題を解決するための手段】
【０００５】
本考案の放電装置用超伝導チューブは、前端面と、後端面と、前記前端面から前記後端面に向かって延伸される内管壁及び外管壁とから形成され、内部に中空空間が形成された中空の管体であって、超伝導体材料を一体成型して成り、前記外管壁の一端に、放電装置に向かって延伸され、該放電装置の電流を導引する導引部が設けられる。
【０００６】
前記中空空間は真空状態であることが望ましい。
前記超伝導体材料は、セラミックス、二ホウ化マグネシウム又はダブルウォールカーボンナノチューブに二ホウ化マグネシウムを加えたものとすることができる。
【考案の効果】
【０００７】
本考案の超伝導チューブを放電装置に応用したとき、超伝導チューブの抵抗はゼロなので、電流は持続的に内側管の壁面に沿って絶え間なく円を描くよう流動し、超伝導チューブが電流の流動時に磁場を発生し、この電磁場を通して金属コイルが設置された放電装置により発電が行なわれるため、電流に損耗が発生したり、動エネルギーが不足したりしたとき、放電装置で電気エネルギーを発生させることができ、この結果、放電装置を絶え間なく動作させる必要がなく、エネルギー消費量を低減することができる。
【図面の簡単な説明】
【０００８】
【図１】本考案の超伝導チューブの使用状態を示す概略図である。
【図２】本考案の実施例を示す超伝導チューブの一部破断斜視図である。
【図３】図２のＡ−Ａ線断面図である。
【図４】図２のＢ−Ｂ線断面図である。
【考案を実施するための形態】
【０００９】
以下、本考案の実施例を図面に基づいて詳細に説明する。
図１及び図２に示すように、本考案の実施例において、放電装置用超伝導チューブ１０は、発電機等の金属コイル２１を備えた放電装置２０に使用される。
超伝導チューブ１０は、前端面１１、後端面１２、内管壁１３、外管壁１４から形成される中空の管体であり、超伝導体材料を一体成型して成る。超伝導体材料は、セラミックス、二ホウ化マグネシウムまたはダブルウォールカーボンナノチューブに二ホウ化マグネシウム（ＭｇＢ２）を加えたもの等とすることができる。
【００１０】
内管壁１３及び外管壁１４は前端面１１から後端面１２に向かって延伸され、図３及び図４に示すように、超伝導チューブ内部に（内管壁１３の内側に）中空空間１５が形成される。真空技術を利用してこの中空空間１５に真空状態が形成される。
また、外管壁１４の一側には、放電装置２０に向かって導引部１６が延伸して設けられる。
超伝導チューブ１０を放電装置２０上に使用するときは、超伝導チューブ１０を放電装置２０の上方に配置し、導引部１６がちょうど放電装置２０の上方に位置するようにする。放電装置２０が動作して電流を発生すると、電流方向は図に示すようになる。放電装置２０（これは一般的な放電装置であり、ここでは説明を省略する）の電流が導引部１６より超伝導チューブ１０に導引される。
【００１１】
電流は時計回りまたは反時計回りに内管壁１３内側の環状周縁に沿って円を描くように流れる。且つ電流の方向は放電装置２０上の電流方向と同じである。
電流が超伝導チューブ１０上で時計回りまたは反時計回りに超伝導チューブ１０の内管壁１３を利用して流動するため、このとき超伝導チューブ１０の周囲に電磁場が形成され、この電磁場を通して金属コイル２１が設置された放電装置２０により発電の効果を達することができる。
【００１２】
超伝導チューブ１０は、超伝導体材料を一体成型して成り、超伝導体材料は抵抗値がゼロである特性を備えているため、放電装置２０上で発生した電流が超伝導チューブ１０を通過するとき、超伝導チューブ１０の無抵抗の特性を利用して、電流を持続的に超伝導チューブ１０内面で流動させ、これによりこの電磁場を通して金属コイル２１が設置された放電装置２０により発電の効果を達することができる。これにより、放電装置２０を絶え間なく駆動させる必要性を効果的に回避し、エネルギーの損耗を効果的に抑えることができる。
【００１３】
本考案の技術内容について最良の実施例を上述のように開示したが、この説明は本考案を限定するものではなく、当業者が本考案の要旨を逸脱せずに実施した変更や修飾はすべて、本考案の権利範囲に含まれる。
【符号の説明】
【００１４】
１０      超伝導チューブ
１１      前端面
１２      後端面
１３      内管壁
１４      外管壁
１５      中空空間
１６      導引部
２０      放電装置
２１      金属コイル
【図１】
0003174665.tif 000003
【図２】
0003174665.tif 000004
【図３】
0003174665.tif 000005
【図４】
0003174665.tif 000006